(57)【要約】【課題】作業者が庫内に入らなくても保管物の搬入及び搬出を容易に行うことができる冷凍倉庫を提供することを課題とする。【解決手段】搬入時には、アコーデオンカーテン１５を閉じた状態で入口側開閉扉９を開いてパレット４を搬入部１１のチェーンコンベヤ１３上に載置する。次に、チェーンコンベア１３によりパレット４を入口側開閉扉９とアコーデオンカーテン１５の間に搬送して入口側開閉扉９を閉じる。アコーデオンカーテン１５を開いてパレット４を倉庫本体８のさらに奥部に搬送した後、このカーテン１５を閉じて冷凍保管を行う。搬出時には、出口側開閉扉１０を閉じた状態でアコーデオンカーテン１６を開いてパレット４を出口側開閉扉１０とアコーデオンカーテン１６の間に搬送した後、このカーテン１６を閉じ、さらに出口側開閉扉１０を開いてパレット４を搬出部１２に搬送する。【選択図】        図３
2004184017.tif 000002
【特許請求の範囲】
【請求項１】
倉庫本体内を冷却して保管物を冷凍保管する冷凍倉庫において、
倉庫本体の両端部にそれぞれ配設された入口側開閉扉及び出口側開閉扉と、
入口側開閉扉及び出口側開閉扉の外側にそれぞれ区画された搬入部及び搬出部と、
保管物を支持すると共に搬入部から搬出部まで倉庫本体内を通して保管物を搬送する搬送手段と
を備え、搬入時には入口側開閉扉を開いて搬入部に載置された保管物を搬送手段により倉庫本体内へ搬送した後に入口側開閉扉を閉じ、搬出時には出口側開閉扉を開いて搬送手段により倉庫本体内の保管物を搬出部にまで搬送することを特徴とする冷凍倉庫。
【請求項２】
入口側開閉扉及び出口側開閉扉を開閉駆動する開閉装置をさらに備えた請求項１に記載の冷凍倉庫。
【請求項３】
倉庫本体内で且つ入口側開閉扉及び出口側開閉扉の近傍にそれぞれ冷気の外部への漏出を防止するための電動開閉式のアコーデオンカーテンが設置された請求項１または２に記載の冷凍倉庫。
【請求項４】
搬送手段はチェーンコンベアからなる請求項１〜３のいずれか一項に記載の冷凍倉庫。
【請求項５】
それぞれ廃用動物からなる保管物を収容すると共に複数段に積み重ね自在のパレットを備え、保管物はパレットに収容された状態で搬送手段により搬送され且つ倉庫本体内で冷凍保管される請求項１〜４のいずれか一項に記載の冷凍倉庫。
【請求項６】
保管物を搬入部に載置するための搬入側クレーンと、搬出部の保管物を運び出すための搬出側クレーンとをさらに備えた請求項１〜５のいずれか一項に記載の冷凍倉庫。
【請求項７】
倉庫本体が複数列に隣接配置され、搬入側クレーン及び搬出側クレーンは各列の倉庫本体に共通に使用される請求項６に記載の冷凍倉庫。
【発明の詳細な説明】
【０００１】
【発明の属する技術分野】
この発明は、荷を冷凍保管する冷凍倉庫に関する。
【０００２】
【従来の技術】
狂牛病等の伝染病に冒された廃用牛やその他の病で病死した廃用牛、さらにその他の廃用動物は一般に専用の焼却施設で焼却処分に供されるが、焼却対象となるこれらの廃用動物は焼却処分されるまで冷凍保管されている。このような冷凍保管としては、例えば特許文献１に開示されているような冷凍倉庫を使用することができる。
【０００３】
【特許文献１】
特開２００２−１６７０１２号公報
【０００４】
【発明が解決しようとする課題】
しかしながら、従来の冷凍倉庫は、庫内の床面の上に単に保管物を積み重ねたり、載置するものであり、特に牛等の廃用動物を保管物とする場合には、その大きさと重量が嵩むためにフォークリフト等を用いる必要があり、搬入及び搬出の作業に手間がかかっていた。
また、廃用動物からは硫化水素等の発生の虞があるため、作業者が自ら庫内に入ることなく、保管物を搬入したり搬出することのできる冷凍倉庫が望まれていた。
【０００５】
この発明はこのような問題点を解消するためになされたもので、作業者が庫内に入らなくても保管物の搬入及び搬出を容易に行うことができる冷凍倉庫を提供することを目的とする。
【０００６】
【課題を解決するための手段】
この発明に係る冷凍倉庫は、倉庫本体内を冷却して保管物を冷凍保管する冷凍倉庫において、倉庫本体の両端部にそれぞれ配設された入口側開閉扉及び出口側開閉扉と、入口側開閉扉及び出口側開閉扉の外側にそれぞれ区画された搬入部及び搬出部と、保管物を支持すると共に搬入部から搬出部まで倉庫本体内を通して保管物を搬送する搬送手段とを備えたものであり、搬入時には入口側開閉扉を開いて搬入部に載置された保管物を搬送手段により倉庫本体内へ搬送した後に入口側開閉扉を閉じ、搬出時には出口側開閉扉を開いて搬送手段により倉庫本体内の保管物を搬出部にまで搬送する。
【０００７】
なお、入口側開閉扉及び出口側開閉扉を開閉駆動する開閉装置を備えることが好ましい。さらに、倉庫本体内で且つ入口側開閉扉及び出口側開閉扉の近傍にそれぞれ電動開閉式のアコーデオンカーテンを設置すれば、冷気の外部への漏出を防止することができる。
搬送手段としてはチェーンコンベアを用いることができる。また、好ましくは、廃用動物からなる保管物を複数段に積み重ね自在のパレット内に収容し、このパレットに収容された状態で保管物を搬送手段により搬送して倉庫本体内で冷凍保管する。
さらに、保管物を搬入部に載置するための搬入側クレーンと、搬出部の保管物を運び出すための搬出側クレーンを備えることが好ましい。この場合、倉庫本体を複数列に隣接配置し、搬入側クレーン及び搬出側クレーンを各列の倉庫本体に共通に使用することもできる。
【０００８】
【発明の実施の形態】
以下、この発明の実施の形態を添付図面に基づいて説明する。
図１にこの発明の実施の形態に係る冷凍倉庫を用いた廃用動物の冷凍保管ステーションの平面構成を示す。それぞれ細長い形状に形成された３基の冷凍倉庫１が互いに平行に３列に配列され、これら冷凍倉庫１の一端側に搬入側クレーン２が、他端側に搬出側クレーン３がそれぞれ装備されている。また、廃用動物を収容して冷凍倉庫１内に搬入するためのパレット４を載置するパレット置場５が３基の冷凍倉庫１に並ぶように冷凍倉庫１の側方に形成され、さらに搬出側クレーン３の近傍には、冷凍倉庫１から搬出された廃用動物を運び出すための冷凍コンテナ６を待機させる待機スペース７が形成されている。
【０００９】
図２及び３に示されるように、各冷凍倉庫１は細長い直方体形状の倉庫本体８を有し、倉庫本体８の一端に入口側開閉扉９が形成されると共に他端に出口側開閉扉１０が形成されている。入口側開閉扉９の外側には搬入部１１が、出口側開閉扉１０の外側には搬出部１２がそれぞれ倉庫本体８に隣接して区画されており、冷凍倉庫１の床部には搬入部１１から搬出部１２まで倉庫本体８内を通してチェーンコンベア１３が配設されている。このチェーンコンベア１３は、廃用動物が収容されたパレット４を支持すると共に、搬出部１２に据え付けられたギアードモータ１４により駆動されてパレット４を搬入部１１から搬出部１２へ向かって搬送する。また、倉庫本体８内には入口側開閉扉９及び出口側開閉扉１０の近傍にそれぞれ冷気の外部への漏出を防止する電動開閉式のアコーデオンカーテン１５及び１６が設置されている。
【００１０】
図４に示されるように、各倉庫本体８の入口側開閉扉９の上部には入口側開閉扉９を開閉するための電動シリンダ１７が設置されており、図５に示されるように、電動シリンダ１７のプランジャ１８を伸長することにより入口側開閉扉９が外側に向かって開かれ、引き込めることにより入口側開閉扉９が閉じられる。同様に、出口側開閉扉１０もその上部に設置された電動シリンダにより開閉される。
【００１１】
図６に示されるように、各倉庫本体８内において、入口側開閉扉９の近傍に設置された電動式のアコーデオンカーテン１５は、図示しないモータにより、その中央から両側に向かって開くようになっており、出口側開閉扉１０の近傍に設置されたアコーデオンカーテン１６も同様にその中央から両側に向かって開くようになっている。
【００１２】
図７に示されるように、各倉庫本体８に隣接して区画された搬出部１２の上方には、倉庫本体８の長手方向に直交する方向に延長するビーム１９が設けられており、搬出側クレーン３がこのビーム１９に沿って移動自在になっている。また、搬入側クレーン２も同様に、搬入部１１の上方において倉庫本体８の長手方向に直交する方向に延長するビームに沿って移動自在になっている。
また、搬出部１２に据え付けられたギアードモータ１４により回転駆動される駆動軸の両端にそれぞれスプロケット２０が固定されており、各スプロケット２０にチェーンコンベア１３のチェーンが取り回されている。
【００１３】
ここで各パレット４は、図８に示されるように、上部が開放された箱形状を呈し、両側板の上縁部には上方へ向かって凸状に尖った上ガイド部２１が形成され、両側板の下部にはその下端が下方へ向かって凹状に開いた下ガイド部２２が形成されており、下側のパレット４の上ガイド部２１の上に上側のパレット４の下ガイド部２２を重ねて嵌合させることにより複数段に積み上げることができるように構成されている。また、各パレット４の底部にはフォークリフトのフォークを差し込むためのフォークガイド２３が取り付けられ、各パレット４の正面上半部には開閉クランプ２４の操作により開放自在の開閉式枠２５が取り付けられている。この開閉式枠２５は、複数のパレット４を積み重ねた状態でも開閉することができ、開閉式枠２５を開放することにより、パレット４内に収容された廃用動物等の保管物に各種の処理を施すことができるようになっている。さらに、各パレット４の上端両側部にはそれぞれ搬入側クレーン２及び搬出側クレーン３によりパレット４を吊り下げるための吊りピース２６が固定されている。
【００１４】
なお、各冷凍倉庫１には、庫内を冷却するための図示しない冷凍ユニットが設置されている。また、それぞれの庫外には図示しない操作盤が取り付けられており、この操作盤に搬入ボタン及び搬出ボタン等が装備されている。
【００１５】
次に、この実施の形態の冷凍保管ステーションの動作について説明する。まず、このステーションに運ばれてきた廃用動物をパレット置場５から持ち出したパレット４内に収容する。次に、入口側開閉扉９近傍に設置されたアコーデオンカーテン１５を閉じた状態で電動シリンダ１７により入口側開閉扉９を開き、搬入側クレーン２により廃用動物が収容されたパレット４をその吊りピース２６を利用して持ち上げて倉庫本体８に隣接した搬入部１１のチェーンコンベヤ１３上に３段重ねに積み重ねる。このように搬入部１１のチェーンコンベア１３の上にパレット４を載置した後、作業者が操作盤の搬入ボタンを押すと、ギアードモータ１４によりチェーンコンベア１３が駆動されてパレット４が倉庫本体８内に搬送される。そして、パレット４が入口側開閉扉９とアコーデオンカーテン１５の間に到達すると、電動シリンダ１７により入口側開閉扉９が閉じられる。アコーデオンカーテン１５を開いてパレット４を倉庫本体８のさらに奥部に搬送した後、アコーデオンカーテン１５を閉じてパレット４の冷凍保管を行う。このようにして、パレット４が順次収容されてパレット４内の廃用動物が冷凍保管される。なお、搬入時には、出口側開閉扉１０及びその近傍に設置されたアコーデオンカーテン１６は閉じられている。
【００１６】
一方、パレット４の搬出時には、作業者が操作盤の搬出ボタンを押すと、出口側開閉扉１０が閉じられたままで出口側開閉扉１０近傍のアコーデオンカーテン１６が開かれ、チューンコンベヤ１３により倉庫本体８内のパレット４が出口側開閉扉１０に向かって搬送される。そして、パレット４が出口側開閉扉１０とその近傍のアコーデオンカーテン１６の間に到達するとアコーデオンカーテン１６が閉じられ、電動シリンダにより出口側開閉扉１０が開かれてパレット４が搬出部１２に搬送される。そして、このように搬出されたパレット４を吊りピース２６を利用して搬出側クレーン３で持ち上げて搬出部１２から降ろすと共に電動シリンダにより出口側開閉扉１０を閉じることにより搬出が完了する。さらに、搬出部１２から降ろされたパレット４は、フォークリフト等により待機スペース７に待機している冷凍コンテナ６に搬入される。
【００１７】
以上のように、チェーンコンベア１３により搬入部１１から搬出部１２まで倉庫本体８内を通して廃用動物を収容したパレット４の搬送が可能であると共に、搬入時には入口側開閉扉９を開いて搬入部１１に載置されたパレット４をチェーンコンベア１３により倉庫本体８内へ搬送した後に入口側開閉扉９を閉じ、搬出時には出口側開閉扉１０を開いてチェーンコンベア１３により倉庫本体８内のパレット４を搬出部１２にまで搬送するため、作業者が庫内に入らなくても廃用動物などの保管物を容易に搬入及び搬出することができる。
【００１８】
また、入口側開閉扉９及び出口側開閉扉１０をそれぞれアコーデオンカーテン１５及び１６が閉じられた状態で開くようにすることにより、倉庫本体８内の冷気の外部への漏出を防止することができる。
また、３基の冷凍倉庫１の搬出部１２にまたがって設けられたビーム１９に沿って搬出側クレーン３が移動自在になっているため、搬出側クレーン３を各倉庫本体８に共通に使用することができる。同様に、搬入側クレーン２も搬入部１１にまたがって設けられたビームに沿って移動自在であり、各倉庫本体８に共通に使用することができる。
【００１９】
また、入口側開閉扉９はその上部に取り付けられた電動シリンダ１７により開閉駆動され、また出口側開閉扉１０もその上部に取り付けられた電動シリンダにより開閉駆動されるため、これら入口側開閉扉９及び出口側開閉扉１０を作業者が開閉する必要がなく、これにより保管物の搬入及び搬出をより容易に行うことができる。
【００２０】
なお、上述した実施の形態では、入口側開閉扉９及び出口側開閉扉１０の開閉駆動を電動シリンダにより行っていたが、この代わりに、エアシリンダ、油圧シリンダ或いはモータで駆動される他の開閉装置を用いることができる。
また、チェーンコンベア１３の代わりに、ベルトコンベア等の搬送装置を利用することができる。
【００２１】
また、上述の実施の形態の冷凍保管ステーションは、３基の冷凍倉庫１を有するものに限定されず、１基、２基、或いは４基以上の冷凍倉庫を有するものでもよい。
また、パレット４を３段重ねに積み重ねて倉庫本体８内に搬入して冷凍保管する代わりに、１段のみ、或いは２段重ねに積み重ねて保管することもできる。また、倉庫本体の高さ及びパレットの高さを調整することによりパレットを４段以上に積み重ねて保管することもできる。
さらに、上述の実施の形態では、廃用動物をパレット４に収容して冷凍保管していたが、冷凍食品等の他の保管物を同様にして冷凍保管することもできる。
【００２２】
【発明の効果】
以上説明したように、この発明によれば、倉庫本体の両端部にそれぞれ配設された入口側開閉扉及び出口側開閉扉と、入口側開閉扉及び出口側開閉扉の外側にそれぞれ区画された搬入部及び搬出部と、保管物を支持すると共に搬入部から搬出部まで倉庫本体内を通して保管物を搬送する搬送手段とを備えたものであり、搬入時には入口側開閉扉を開いて搬入部に載置された保管物を搬送手段により倉庫本体内へ搬送した後に入口側開閉扉を閉じ、搬出時には出口側開閉扉を開いて搬送手段により倉庫本体内の保管物を搬出部にまで搬送するようにしたので、作業者が庫内に入らなくても保管物の搬入及び搬出を容易に行うことができる。
【図面の簡単な説明】
【図１】この発明の実施の形態に係る冷凍倉庫を用いた廃用動物の冷凍保管ステーションを示す平面図である。
【図２】実施の形態に係る冷凍倉庫の平面断面図である。
【図３】実施の形態に係る冷凍倉庫の側面断面図である。
【図４】実施の形態における入口側開閉扉近傍の構造を示す拡大正面図である。
【図５】実施の形態における入口側開閉扉近傍の構造を示す拡大平面図である。
【図６】実施の形態におけるアコーデオンカーテン近傍の構造を示す拡大正面図である。
【図７】実施の形態における搬出部近傍の構造を示す拡大背面図である。
【図８】実施の形態におけるパレットの構造を示す斜視図である。
【符号の説明】
１  冷凍倉庫、２  搬入側クレーン、３  搬出側クレーン、４  パレット、５パレット置場、６  冷凍コンテナ、７  待機スペース、８  倉庫本体、９  入口側開閉扉、１０  出口側開閉扉、１１  搬入部、１２  搬出部、１３  チェーンコンベア、１４  ギアードモータ、１５，１６  アコーデオンカーテン、１７電動シリンダ、１８  プランジャ、１９  ビーム、２０  スプロケット、２１上ガイド部、２２  下ガイド部、２３  フォークガイド、２４  開閉クランプ、２５  開閉式枠、２６  吊りピース。
【図１】
2004184017.tif 000003
【図２】
2004184017.tif 000004
【図３】
2004184017.tif 000005
【図４】
2004184017.tif 000006
【図５】
2004184017.tif 000007
【図６】
2004184017.tif 000008
【図７】
2004184017.tif 000009
【図８】
2004184017.tif 000010